【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
電子装置によってアクセス可能であり、視聴覚データを符号化した複数のコンテンツから、少なくとも１つの第１視聴覚コンテンツをバックアップ操作中に選択するために、前記電子装置で実行される方法であって、
前記視聴覚コンテンツの前記視聴覚データから得られる視聴覚記述子を取得することと、
前記視聴覚コンテンツの前記取得された少なくとも１つの視聴覚記述子が考慮に入れられた少なくとも１つのバックアップ・ルールに従って、第１視聴覚コンテンツを選択することと
を含むことを特徴とする方法。
【請求項２】
前記少なくとも１つのバックアップ・ルールが、
少なくとも１つの前記視聴覚コンテンツの前記視聴覚データの品質と、
少なくとも１つの前記視聴覚コンテンツでの少なくとも１つの顔の存在と、
少なくとも１つの前記視聴覚コンテンツでの少なくとも１つの既知の顔の存在と、
少なくとも１つの前記視聴覚コンテンツでの少なくとも１つの既知の場所の存在と、
少なくとも２つの前記視聴覚コンテンツの間の類似性と、
少なくとも１つの前記視聴覚コンテンツのプライバシーと
を含む第１グループに属する少なくとも１つの判定基準を含む、請求項１に記載の方法。
【請求項３】
前記少なくとも１つのバックアップ・ルールが、
前記視聴覚コンテンツのサイズ制限と、
少なくとも１つの前記視聴覚コンテンツのバックアップ状態と、
少なくとも１つの前記視聴覚コンテンツのフォーマットまたはバージョンと、
少なくとも１つの前記視聴覚コンテンツの取得、獲得、および／または修正のタイム・スタンプ値と、
少なくとも１つの前記視聴覚コンテンツの獲得のジオローカライゼーションと、
前のバックアップ操作の日付と、
前のバックアップ操作の結果と、
最後のバックアップ操作以降に取得され、修正され、または作成された視聴覚コンテンツの数と、
バックアップされる視聴覚コンテンツの最大数と
を含む第２グループに属する少なくとも１つの判定基準を含む、請求項２に記載の方法。
【請求項４】
前記バックアップ・ルールが、前記電子装置のユーザ・インターフェースから獲得される、請求項１から３のいずれか一項に記載の方法。
【請求項５】
前記少なくとも１つの視聴覚記述子が、
少なくとも１つの前記視聴覚コンテンツの少なくとも一部分の内部での輝度の分布と、
少なくとも１つの前記視聴覚コンテンツの少なくとも一部分の内部での色の分布と、
少なくとも１つの前記視聴覚コンテンツの少なくとも一部分の内部での視覚および／またはオーディオのパターンと、
少なくとも１つの前記視聴覚コンテンツの少なくとも２つのフレーム間の距離と、
誘発性属性と、
覚醒属性と、
少なくとも１つの前記視聴覚コンテンツの獲得焦点距離と、
少なくとも１つの前記視聴覚コンテンツの獲得速度と、
検出された顔と、
少なくとも１つの前記視聴覚の符号化データの知覚特性と
を含むグループに属する少なくとも１つの要素に関連する、請求項１〜４のいずれか一項に記載の方法。
【請求項６】
前記方法が、前記選択された第１視聴覚コンテンツを少なくとも１つの送信元装置からコピーすることを含み、この装置から、前記選択された第１視聴覚コンテンツがアクセス可能である、請求項１〜５のいずれか一項に記載の方法。
【請求項７】
前記方法が、前記選択された第１視聴覚コンテンツを少なくとも１つの宛先装置にバックアップすることを含む、請求項１〜６のいずれか一項に記載の方法。
【請求項８】
電子装置からアクセス可能であり、視聴覚データを符号化した複数の視聴覚コンテンツから、少なくとも１つの第１視聴覚コンテンツをバックアップ操作中に選択するように構成された、少なくとも１つのメモリおよび少なくとも１つのプロセッサを含む電子装置であって、前記プロセッサのうちの少なくとも１つが、
前記視聴覚コンテンツの前記視聴覚データから得られる視聴覚記述子を取得し、
前記視聴覚コンテンツの前記取得された少なくとも１つの視聴覚記述子が考慮に入れられた少なくとも１つのバックアップ・ルールに従って、第１視聴覚コンテンツを選択するように構成されることを特徴とする電子装置。
【請求項９】
前記少なくとも１つのプロセッサのうち少なくとも１つが、さらに、前記バックアップ操作に関わっている少なくとも１つの電子装置の少なくとも１つの状況記述子を取得するように構成され、前記バックアップ・ルールが、前記関係のある電子装置の前記状況記述子を考慮に入れる、請求項８に記載の電子装置。
【請求項１０】
前記関係のある電子装置が、前記電子装置それ自体、少なくとも１つの前記視聴覚コンテンツが前記電子装置にアクセス可能になる元の発信元装置、および／または前記バックアップ操作中に少なくとも１つの前記視聴覚コンテンツがバックアップされる宛先装置である、請求項８または９に記載の電子装置。
【請求項１１】
前記電子装置が、前記発信元装置および／または前記宛先装置とは異なる、請求項１０に記載の電子装置。
【請求項１２】
視聴覚データを符号化した視聴覚コンテンツにアクセスする、少なくとも１つの発信元装置と、
バックアップ操作中に、前記視聴覚コンテンツから少なくとも１つの第１視聴覚コンテンツを選択するように構成された、少なくとも１つのメモリおよび少なくとも１つのプロセッサを含む電子装置と
を含むシステムであって、
前記電子装置の前記少なくとも１つのプロセッサが、
前記視聴覚コンテンツの前記視聴覚データから得られる視聴覚記述子を取得し、
前記視聴覚コンテンツの前記取得された少なくとも１つの視聴覚記述子が考慮に入れられた少なくとも１つのバックアップ・ルールに従って、第１視聴覚コンテンツを選択するように構成されることを特徴とするシステム。
【請求項１３】
前記システムがさらに、少なくとも１つの宛先装置を含み、前記選択された第１視聴覚コンテンツのうち少なくとも１つが、前記バックアップ操作中に少なくとも部分的にバックアップされる、請求項１２に記載のシステム。
【請求項１４】
持続的なソフトウェア・プログラムがコンピュータによって実行されると、バックアップ操作中に、電子装置によってアクセス可能であり、視聴覚データを符号化した複数の視聴覚コンテンツから少なくとも１つの第１視聴覚コンテンツを選択するために、前記電子装置で実行される方法であって、
前記視聴覚コンテンツの前記視聴覚データから得られる視聴覚記述子を取得することと、
前記視聴覚コンテンツの前記取得された少なくとも１つの視聴覚記述子が考慮に入れられた少なくとも１つのバックアップ・ルールに従って、第１視聴覚コンテンツを選択することと
を含む方法を実行するためのプログラム・コード命令を含むことを特徴とする、持続的なコンピュータ読取り可能なプログラム。
【請求項１５】
持続的なソフトウェア・プログラムがコンピュータによって実行されると、バックアップ操作中に、電子装置によってアクセス可能であり、視聴覚データを符号化した複数の視聴覚コンテンツから少なくとも１つの第１視聴覚コンテンツを選択するために、前記電子装置で実行される方法であって、
前記視聴覚コンテンツの前記視聴覚データから得られる視聴覚記述子を取得することと、
前記視聴覚コンテンツの前記取得された少なくとも１つの視聴覚記述子が考慮に入れられた少なくとも１つのバックアップ・ルールに従って、第１視聴覚コンテンツを選択することと
を含む方法を実行するためのプログラム・コード命令を含むことを特徴とする、ソフトウェア・プログラムを実行するコンピュータ読取り可能な記憶媒体。
【手続補正２】
【補正対象書類名】明細書
【補正対象項目名】０１２０
【補正方法】変更
【補正の内容】
【０１２０】
したがって、たとえば、本明細書において提示したブロック図は、例示的なシステム構成要素、および／またはこの原理のいくつかの実施形態の回路の概念図を表すことが当業者には理解されよう。同様に、任意のフローチャート、流れ図、状態遷移図、擬似コードなどは、実質上コンピュータ読取り可能な記憶媒体で表すことができ、したがって、コンピュータまたはプロセッサが明瞭に示してあろうとなかろうと、そうしたコンピュータまたはプロセッサによって実行することができる様々なプロセスを表すことが理解されよう。
［付記１］
電子装置によってアクセス可能であり、視聴覚データを符号化した複数のコンテンツから、少なくとも１つのコンテンツをバックアップ操作中に選択するために、前記電子装置で実行される方法であって、
それぞれのアクセス可能なコンテンツについて、前記視聴覚データから得られる少なくとも１つの視聴覚記述子を取得することと、
前記アクセス可能なコンテンツの前記取得された視聴覚記述子が考慮に入れられた少なくとも１つのバックアップ・ルールに従って、前記アクセス可能なコンテンツを選択することと
を含むことを特徴とする方法。
［付記２］
前記少なくとも１つのバックアップ・ルールが、
前記視聴覚データの品質と、
前記アクセス可能なコンテンツでの少なくとも１つの顔の存在と、
前記アクセス可能なコンテンツでの少なくとも１つの既知の顔の存在と、
前記アクセス可能なコンテンツでの少なくとも１つの既知の場所の存在と、
前記アクセス可能なコンテンツと、前記アクセス可能なコンテンツのうち別のコンテンツとの間の類似性と、
前記アクセス可能なコンテンツのプライバシーと
を含むグループに属する少なくとも１つの判定基準を含む、付記１に記載の選択方法。
［付記３］
前記グループがさらに、
前記アクセス可能なコンテンツのサイズ制限と、
同様のアクセス可能なコンテンツのバックアップ状態と、
前記アクセス可能なコンテンツのフォーマットまたはバージョンと、
前記アクセス可能なコンテンツの取得、獲得、および／または修正のタイム・スタンプ値と、
前記アクセス可能なコンテンツの獲得のジオローカライゼーションと、
前のバックアップ操作の日付と、
前のバックアップ操作の結果と、
最後のバックアップ操作以降に取得され、修正され、または作成されたアクセス可能なコンテンツの数と、
バックアップされるコンテンツの最大数と
を含む、付記２に記載の選択方法。
［付記４］
前記バックアップ・ルールが、前記電子装置のユーザ・インターフェースから獲得される、付記１から３のいずれか一項に記載の選択方法。
［付記５］
前記少なくとも１つの視聴覚記述子が、
前記アクセス可能なコンテンツの少なくとも一部分の内部での輝度の分布と、
前記アクセス可能なコンテンツの少なくとも一部分の内部での色の分布と、
前記アクセス可能なコンテンツの少なくとも一部分の内部での視覚および／またはオーディオのパターンと、
前記アクセス可能なコンテンツの少なくとも２つのフレーム間の距離と、
誘発性属性と、
覚醒属性と、
前記アクセス可能なコンテンツの獲得焦点距離と、
前記アクセス可能なコンテンツの獲得速度と、
検出された顔と、
符号化データの知覚特性と
を含むグループに属する少なくとも１つの要素に関連する、付記１〜４のいずれか一項に記載の選択方法。
［付記６］
前記方法が、前記選択されたコンテンツを少なくとも１つの送信元装置からコピーすることを含み、この装置から、前記選択されたコンテンツがアクセス可能である、付記１〜５のいずれか一項に記載の選択方法。
［付記７］
前記方法が、前記選択されたコンテンツを少なくとも１つの宛先装置にバックアップすることを含む、付記１〜６のいずれか一項に記載の選択方法。
［付記８］
電子装置からアクセス可能であり、視聴覚データを符号化した複数のコンテンツから、少なくとも１つのコンテンツをバックアップ操作中に選択するように構成された、少なくとも１つのメモリおよび少なくとも１つのプロセッサを含む電子装置であって、前記プロセッサのうちの少なくとも１つが、
それぞれのアクセス可能なコンテンツについて、前記視聴覚データから得られる少なくとも１つの視聴覚記述子を取得し、
前記アクセス可能なコンテンツの前記取得された視聴覚記述子が考慮に入れられた少なくとも１つのバックアップ・ルールに従って、前記アクセス可能なコンテンツを選択するように構成されることを特徴とする電子装置。
［付記９］
前記プロセッサのうち少なくとも１つが、さらに、前記バックアップ操作に関わっている少なくとも１つの電子装置の少なくとも１つの状況記述子を取得するように構成され、前記バックアップ・ルールが、前記関係のある電子装置の前記状況記述子を考慮に入れる、付記８に記載の電子装置。
［付記１０］
前記関係のある電子装置が、前記電子装置それ自体、前記コンテンツが前記電子装置にアクセス可能になる元の発信元装置、および／または前記バックアップ操作中に前記コンテンツがバックアップされる宛先装置である、付記８または９に記載の電子装置。
［付記１１］
前記電子装置が、前記発信元装置および／または前記宛先装置とは異なる、付記１０に記載の電子装置。
［付記１２］
視聴覚データを符号化した少なくとも１つのコンテンツにアクセスする、少なくとも１つの発信元装置と、
バックアップ操作中に、アクセス可能なコンテンツから少なくとも１つのコンテンツを選択するように構成された、少なくとも１つのメモリおよび少なくとも１つのプロセッサを含む電子装置と
を含むシステムであって、
前記電子装置の前記プロセッサのうちの少なくとも１つが、
それぞれのアクセス可能なコンテンツについて、前記視聴覚データから得られる少なくとも１つの視聴覚記述子を取得し、
前記アクセス可能なコンテンツの前記取得された視聴覚記述子が考慮に入れられた少なくとも１つのバックアップ・ルールに従って、前記アクセス可能なコンテンツを選択するように構成されることを特徴とするシステム。
［付記１３］
前記システムがさらに、少なくとも１つの宛先装置を含み、前記選択されたコンテンツのうち少なくとも１つが、前記バックアップ操作中に少なくとも部分的にバックアップされる、付記１２に記載のシステム。
［付記１４］
持続的なソフトウェア・プログラムがコンピュータによって実行されると、バックアップ操作中に、電子装置によってアクセス可能であり、視聴覚データを符号化した複数のコンテンツから少なくとも１つのコンテンツを選択するために、前記電子装置で実行される方法であって、
それぞれのアクセス可能なコンテンツについて、前記視聴覚データから得られる少なくとも１つの視聴覚記述子を取得することと、
前記アクセス可能なコンテンツの前記取得された視聴覚記述子が考慮に入れられた少なくとも１つのバックアップ・ルールに従って、前記アクセス可能なコンテンツを選択することと
を含む方法を実行するためのプログラム・コード命令を含むことを特徴とする、持続的なコンピュータ読取り可能なプログラム。
［付記１５］
持続的なソフトウェア・プログラムがコンピュータによって実行されると、バックアップ操作中に、電子装置によってアクセス可能であり、視聴覚データを符号化した複数のコンテンツから少なくとも１つのコンテンツを選択するために、前記電子装置で実行される方法であって、
それぞれのアクセス可能なコンテンツについて、前記視聴覚データから得られる少なくとも１つの視聴覚記述子を取得することと、
前記アクセス可能なコンテンツの前記取得された視聴覚記述子が考慮に入れられた少なくとも１つのバックアップ・ルールに従って、前記アクセス可能なコンテンツを選択することと
を含む方法を実行するためのプログラム・コード命令を含むことを特徴とする、ソフトウェア・プログラムを実行するコンピュータ読取り可能な記憶媒体。